(57)【要約】【課題】  施工性が良く、意匠性の高い格子体を提供する。【解決手段】  上金具と、下金具と、格子と、固定具とを備え、格子は、上端に上金具と固定具とを挿入する凹部を有し、上金具と下金具の間にケンドン式に取り付けてあり、固定具は、上面に取り外し工具の係止部を有し、格子の下端は、下金具と嵌合しており、格子の上端よりも上方は、上金具が露出すると共に格子内に上金具を挿脱自在にする空間があり、固定具を上方から凹部にのみ込ませてあることで格子の上端を固定してあり、上金具及び格子の上端部は露出させてある。【選択図】      図１
2018135728.tif 000002
【特許請求の範囲】
【請求項１】
上金具と、下金具と、格子と、固定具とを備え、格子は、上端に上金具と固定具とを挿入する凹部を有し、上金具と下金具の間にケンドン式に取り付けてあり、固定具は、上面に取り外し工具の係止部を有し、格子の下端は、下金具と嵌合しており、格子の上端よりも上方は、上金具が露出すると共に格子内に上金具を挿脱自在にする空間があり、固定具を上方から凹部にのみ込ませてあることで格子の上端を固定してあり、上金具及び格子の上端部は露出させてあることを特徴とする格子体。
【発明の詳細な説明】
【技術分野】
【０００１】
本発明は、室内あるいは室外の空間を区画するための格子体に関する。
【背景技術】
【０００２】
従来の格子体は、図１４に示すように、複数の格子をユニット化したものを現場に搬送し、例えば天井と床との間に金具等を用いて取り付けるものであった。
【先行技術文献】
【非特許文献】
【０００３】
【非特許文献１】「組立・施工説明書  スクリーンパーティション格子調デザイン」  ＹＫＫＡＰ株式会社  ２０１１年  ７ページ
【発明の概要】
【発明が解決しようとする課題】
【０００４】
しかしながら、複数の格子をユニット化した格子体は重量が嵩むため、現場までの搬送や取付作業などを複数人で行わなければならず、現場での施工に大変な手間と労力がかかるものであった。本発明は上記課題を鑑み、施工性が良く、意匠性の高い格子体を提供することを目的とする。
【課題を解決するための手段】
【０００５】
本発明の格子体は、上金具と、下金具と、格子と、固定具とを備え、格子は、上端に上金具と固定具とを挿入する凹部を有し、上金具と下金具の間にケンドン式に取り付けてあり、固定具は、上面に取り外し工具の係止部を有し、格子の下端は、下金具と嵌合しており、格子の上端よりも上方は、上金具が露出すると共に格子内に上金具を挿脱自在にする空間があり、固定具を上方から凹部にのみ込ませてあることで格子の上端を固定してあり、上金具及び格子の上端部は露出させてあることを特徴とする。
【発明の効果】
【０００６】
本発明によれば、格子は、上端に上金具と固定具とを挿入する凹部を有し、上金具と下金具の間にケンドン式に取り付けてあり、格子の下端は下金具と嵌合し、格子の上端よりも上方は、格子内に上金具を挿脱自在にする空間があり、固定具を上方から凹部にのみ込ませて格子の上端を固定することができるため、施工性が良い。
そして、上金具及び格子の上端部は露出させてあるため、すっきりとした意匠にできる。
【図面の簡単な説明】
【０００７】
【図１】格子体の第一実施形態を示し、（ａ）は図２のＡ−Ａ線断面図、（ｂ）は図１（ａ）のＢ−Ｂ線断面図、（ｃ）は図１（ａ）のＣ−Ｃ線断面図である。
【図２】格子体の全体正面図である。
【図３】第一実施形態の上キャップを示し、（ａ）は側面図、（ｂ）は底面図である。
【図４】第一実施形態の固定具を示し、（ａ）は平面図、（ｂ）は側面図、（ｃ）は正面図である。
【図５】第一実施形態の組立手順を示す説明図である。
【図６】格子体の第二実施形態を示し、（ａ）は図２のＡ−Ａ線断面図、（ｂ）は図６（ａ）のＤ−Ｄ線断面図、（ｃ）は図６（ａ）のＥ−Ｅ線断面図である。
【図７】係合具を示し、（ａ）は平面図、（ｂ）は側面図、（ｃ）は正面図である。
【図８】第二実施形態の上キャップを示し、（ａ）は側面図、（ｂ）は底面図である。
【図９】第二実施形態の固定具を示し、（ａ）は平面図、（ｂ）は側面図、（ｃ）は背面図である。
【図１０】第二実施形態の組立手順を示す説明図である。
【図１１】格子体の第三実施形態を示し、（ａ）は図２のＡ−Ａ線断面図、（ｂ）は図１１（ａ）のＦ−Ｆ線断面図、（ｃ）は図１１（ａ）のＧ−Ｇ線断面図である。
【図１２】第三実施形態の固定具を示し、（ａ）は平面図、（ｂ）は側面図、（ｃ）は背面図である。
【図１３】第三実施形態の組立手順を示す説明図である。
【図１４】従来の格子体の施工を示す斜視図である。
【発明を実施するための形態】
【０００８】
以下、本発明の実施の形態を図面に基づいて説明する。なお左右とは、図２のように、正面視した際の左右方向を示し、前後とは、図２の手前側及び奥側を示す。
本発明に係る格子体は、図１及び図２に示すように、例えば建物の壁面等に設けた開口部１００内に設置して、空間を区画するものである。開口部１００の内周側上面には上金具１が取り付けてあり、開口部１００の内周側下面には下金具２が取り付けてある。上金具１と下金具２の間には上下方向に長い格子３がケンドン式に取り付けてあり、格子３の上端と開口部１００の内周側上面との間に空間Ｓを有する。格子３は上端に固定具４をのみ込ませて固定してある。
【０００９】
上金具１は、横断面略矩形の中空形材であり、開口部１００の内周側上面にネジ止めしてある。上金具１の下端は後述する格子３の上キャップ５に形成された凹部５１へ挿入され、上金具１の上部は露出している。上金具１の格子３上端からの露出部分は、開口部１００の内周側上面と格子３の上端との間に、空間Ｓを形成する。
下金具２は、見込方向に間隔をあけて立設する二つの取付片２ａ，２ａを備え、側面視略コ字形状をなし、上金具１に対向して開口部１００の内周側下面にネジ止めしてある。
【００１０】
格子３は、断面略矩形をなす中空の長尺材であるが、格子３を取付ける開口部１００の上下方向の寸法よりも短く、開口部１００へ取り付けた際に格子３の上端と開口部１００の内周側上面との間に空間Ｓが形成される。また、格子３の長手方向の一端側には上キャップ５が嵌めてあり、他端側には下キャップ６が嵌めてある。
上キャップ５は、図１（ａ）（ｂ）及び図３に示すように、略直方体形状のものであり、上面には格子３の上端の開口を塞ぐ蓋部５０を備える。蓋部５０には、凹部５１が形成してある。凹部５１は上下方向に貫通する孔状であり、蓋部５０の略中央部に位置する上金具固定部５１ａと、上金具固定部５１ａより前側に位置する固定具挿入部５１ｂとからなる。上金具固定部５１ａは、凹部５１内周側の後壁面５ａと、後壁面５ａに繋がる左右の後側壁面５ｂ，５ｂによって形成される空間であり、固定具挿入部５１ｂは、凹部５１内周側の前壁面５ｅと、前壁面５ｅに繋がる左右の前側壁面５ｄ，５ｄによって形成される空間である。上金具固定部５１ａの後側壁面５ｂと固定具挿入部５１ｂの前側壁面５ｄは、中側壁面５ｃを介して繋がっている。中側壁面５ｃ，５ｃは、平面視すると後側壁面５ｂから前側壁面５ｄへ向かって広くなるテーパー状に形成してある。また、固定具挿入部５１ｂの前壁面５ｅは、側面視すると下方へ向かって前側から後側へ傾斜している。上金具１を上金具固定部５１ａへ嵌め込むと、上金具１の後側見付面及び左右の見込面は、上金具固定部５１ａの対応する各壁面５ａ，５ｂ，５ｂへ当接する。上金具１を挿入した状態で、固定具挿入部５１ｂへ固定具４を挿入すると、固定具４の上金具当接部４ａは上金具１の前側見付面に当接し、固定具４の上キャップ当接部４ｂ及び左右の見込面は、固定具挿入部５１ｂの対応する各壁面５ｅ，５ｄ，５ｄへ当接する。
下キャップ６は、図１（ａ）（ｃ）に示すように、上キャップ５と外形は略同形状のものであるが、中央部には下金具２を嵌合するための凹状の下金具固定部６ａが設けてある。
【００１１】
格子３を固定するための固定具４は、図１（ａ）（ｂ）及び図４に示すように、後側見付面に上金具当接部４ａを備え、前側見付面に上キャップ当接部４ｂを備え、全体としてくさび形状をなす。上金具当接部４ａは、固定具挿入部５１ｂへ挿入した際、上金具１の前側見付面に当接する垂直面に形成してあり、上キャップ当接部４ｂは、上金具当接部４ａと格子３の内周面との間に位置し、固定具４を上金具１へ向けて接近させるように下方へ向かって前側から後側へ傾斜するテーパー状に形成してある。上キャップ当接部４ｂは、固定具挿入部５１ｂの前壁面５ｅの傾斜に沿う角度で傾斜している。固定具４の上面は、固定具挿入部５１ｂへ挿入した状態において、格子３の上端と略同一面となる。また、固定具４の上面には、取り外し工具を引っ掛けるための溝状の係止部４ｃが設けてある。詳しくは、係止部４ｃは固定具４の前側上方の角部に側面視略Ｌ字状に形成してあり、上方及び前方に開口している。
【００１２】
次に、格子体の第一実施形態の施行手順を図５（ａ）〜（ｆ）に従って説明する。なお説明の便宜上、図５（ａ）〜（ｃ）における開口部１００の内周側上面は破線で示してあり、図５（ｄ）〜（ｆ）においては省略してある。なお、後述する図１０及び図１３においても、内周側上面を同様に示す。
まず、図５（ａ）のように、開口部１００の内周側上面に上金具１をネジ止めし、上金具１に対向する内周側下面に下金具２をネジ止めする。次いで、格子３を上金具１及び下金具２の間にケンドン式に取り付ける。詳しくは、図５（ｂ）のように、格子３を前側下方から後側上方へと斜めに持ち上げながら、上キャップ５の凹部５１の固定具挿入部５１ｂへ上金具１の下端を挿し込む。格子３を垂直に起こしながら、上金具１を固定具挿入部５１ｂから上金具固定部５１ａへ移動させて嵌め込むとともに、格子３の下端を下金具２へと落とし込んで下キャップ６の下金具固定部６ａへ下金具２の取付片２ａ，２ａを嵌合させて、格子３を上金具１及び下金具２の間に取り付ける。そして、図５（ｄ）〜（ｆ）のように、空間Ｓから格子３の固定具挿入部５１ｂへ固定具４を垂直に挿入し、格子３を上金具１へ固定することにより、格子体の施工は完了する。
【００１３】
このように構成した第一実施形態の格子体によれば、格子３は、上端に上金具１と固定具４とを挿入する凹部５１を有し、上金具１と下金具２の間にケンドン式に取り付けることができる。格子３の下端は下金具２と嵌合し、格子３の上端よりも上方は、格子３内に上金具１を挿脱自在にする空間Ｓがあり、固定具４を上方から凹部５１にのみ込ませて格子３の上端を固定することができるため、施工性が良い。
上金具１及び格子３の上端部が露出させてあるため、すっきりとした意匠にできる。
格子３は、固定具４を上キャップ５の凹部５１に挿入することのみで固定してある。格子３をネジ止めしないので、施工性が良く、意匠性も優れる。また、幕板を用いないので、コストダウンを図ることができる。
固定具４は、上金具１と当接する垂直面に形成された上金具当接部４ａと、上金具当接部４ａと格子３の内周面との間に位置し、固定具４を上金具１へ向けて接近させるようにテーパー状に形成された上キャップ当接部４ｂとを有するため、格子３の移動を規制し、しっかりと固定することができる。このような構成の固定具４は、固定具挿入部５１ｂの下方へ押し込むことによって上金具１と格子３を固定できるので、施工性も良い。また、固定具４の上面は格子３の上端と略同一面であるため、各格子３の上端が揃い、見栄えが良くなるので、幕板を用いる必要がない。さらに、上面には取り外し工具の係止部４ｃを有するので、取り外しも容易である。
【００１４】
次に、本発明の格子体の第二実施形態について図６〜図１０に基づいて説明する。
図６に示すように、第二実施形態も第一実施形態と同様に、例えば建物の開口部１００内に設置して、空間を区画するものである。上金具１と下金具２の間に格子３がケンドン式に取り付けてあり、格子３の上端と開口部１００の内周側上面との間に空間Ｓを有する。上金具１、下金具２及び格子３の形状は第一実施形態と同じであるが、第二実施形態においては、上金具１の下端に係合具７が取り付けてあり、格子３に嵌め込む上キャップ８と格子３を固定するための固定具４１の形状が第一実施形態と異なる。
【００１５】
具体的には、第二実施形態の上金具１の下端には図７に示す係合具７を取付ける。係合具７は、上金具１の横断面と略同じ大きさの平板状の取付部７ａと、取付部７ａの前側面に垂直に設けた被係合部７ｂとからなる平面視略Ｌ字形状の部材である。取付部７ａには、上金具１に設けたタッピングホールへネジ止めするための取付穴７ｃが設けてあり、被係合部７ｂを前側へ向けて上金具１の下端に取り付けられる。被係合部７ｂは、前側見付面に側面視略三角形状の凸部と凹部が交互に複数連なって設けてある。
【００１６】
第二実施形態の上キャップ８は、第一実施形態の上キャップ５と略同じ形状であって、図６（ａ）（ｂ）及び図８に示すように略直方体形状であり、上面には格子３の上端の開口を塞ぐ蓋部８０を備える。蓋部８０には、凹部８１が形成してある。凹部８１は上下方向に貫通する孔状であり、蓋部８０の略中央部に位置する上金具固定部８１ａと、上金具固定部８１ａより前側に位置する固定具挿入部８１ｂとからなる。第一実施形態の上キャップ５と異なるのは、固定具挿入部８１ｂの前壁面８ｅが垂直である点と、前壁面８ｅの左右両端から凹部８１の前後略中央へ水平に延びる支持片８ｆ，８ｆが形成されている点である。支持片８ｆは、固定具４１の左右端部を支持し、固定具４１が凹部８１から抜け落ちるのを防ぐ。
【００１７】
第二実施形態の固定具４１は、図６（ａ）（ｂ）及び図９に示すように、固定具挿入部８１ｂの上部を塞ぐ上面部４１ａと、上面部４１ａの後方下面から垂直に延びる垂下部４１ｂとからなる側面視略Ｔ字形状をなす。垂下部４１ｂの後側見付面には、側面視略三角形状の凸部と凹部が交互に複数連なる係合部４１ｄが設けてある。係合部４１ｄは、固定具４１を固定具挿入部８１ｂへ挿入した際に、格子３の前側見付面に位置する係合具７の被係合部７ｂと係合する。固定具４１の上面部４１ａは、固定具挿入部８１ｂへ挿入した状態において、格子３の上端と略同一面となる。また、上面部４１ａには、取り外し工具を引っ掛けるための溝状の係止部４１ｃが設けてある。詳しくは、係止部４１ｃは固定具４１の前側上方の角部に側面視略Ｌ字状に形成してあり、上方及び前方に開口している。
【００１８】
次に、格子体の第二実施形態の施行手順を図１０（ａ）〜（ｆ）に従って説明する。
まず、図１０（ａ）のように、開口部１００の内周側上面に予め係合具７を取付けた上で金具１をネジ止めし、上金具１に対向する内周側下面に下金具２をネジ止めする。次いで、格子３を上金具１及び下金具２の間にケンドン式に取り付ける方法は、図１０（ｂ）（ｃ）のように、第一実施形態と同じである。但し、係合具７の被係合部７ｂが凹部８１の固定具挿入部８１ｂ側に向くよう、格子３を取付ける方向に注意する。そして、図１０（ｄ）〜（ｆ）のように、空間Ｓから格子３の固定具挿入部８１ｂへ固定具４１を挿入して格子３を上金具１へ固定する。詳しくは、固定具４１の垂下部４１ｂを固定具挿入部８１ｂへ斜めに挿し込み、図１０（ｅ）に示すように、上面部４１ａを前側から後側に向けて下方に傾斜させる。この状態から上面部４１ａの前方を下方へ押すと、固定具４１が固定具挿入部８１ｂ内へパチンと嵌まり込むとともに、係合具７の被係合部７ｂと固定具４１の係合部４１ｄが係合して格子体の施工は完了する。
【００１９】
このように構成した第二実施形態の格子体によれば、第一実施形態と同様に、格子３をケンドン式に取り付け、格子３の下端は下金具２と嵌合し、格子３の上端よりも上方は、格子内に上金具１を挿脱自在にする空間Ｓがあり、固定具４１を上方から凹部８１にのみ込ませて格子３の上端を固定することができるため、施工性が良い。
上金具１及び格子３の上端部は露出させてあるため、すっきりとした意匠にできる。
格子３は、固定具４１を上キャップ８の凹部８１に挿入することのみで固定してある。格子３をネジ止めしないので、施工性が良く、意匠性も優れる。また、幕板を用いないので、コストダウンを図ることができる。
固定具４１は、垂下部４１ｂの後側見付面に係合部４１ｄが設けてあり、固定具４１を固定具挿入部８１ｂへ挿入すると、格子３の前側見付面に位置する係合具７の被係合部７ｂと係合部４１ｄとが係合するため、格子３の移動を規制し、しっかりと固定することができる。このような構成の固定具４１は、垂下部４１ｂを凹部８１へ斜めに差込み、上面部４１ａの前方を押して、固定具４１を固定具挿入部８１ｂ内へパチンと嵌め込むとともに、上金具１に取り付けた係合具７の被係合部７ｂと固定具４１の係合部４１ｄが係合して上金具１と格子３を固定できるので、施工性も良い。また、固定具４１の上面部４１ａは格子３の上端と略同一面であるため、各格子３の上端が揃い、見栄えが良くなるので、幕板を用いる必要がない。さらに、上面部４１ａには取り外し工具の係止部４１ｃを有するので、取り外しも容易である。
【００２０】
次に、本発明の格子体の第三実施形態について図１１〜図１３に基づいて説明する。
図１１に示すように、第三実施形態も第一及び第二実施形態と同様に、例えば建物の開口部１００内に設置して、空間を区画するものである。上金具１と下金具２の間に格子３がケンドン式に取り付けてあり、格子３の上端と開口部１００の内周側上面との間に空間Ｓを有する。第二実施形態と同様に格子３の下端に係合具７が取り付けてあり、第二実施形態と同一形状の上キャップ８を用いるが、第三実施形態においては、固定具４２の形状が第二実施形態と異なる。
【００２１】
具体的には、第三実施形態の固定具４２は、図１１（ａ）（ｂ）及び図１２に示すように、上キャップ８の固定具挿入部８１ｂの上部を塞ぐ上面部４２ａと、上面部４２ａの後方下面から垂直に延びる垂下部４２ｂとが側面視略Ｔ字形状をなす。垂下部４２ｂは、前側見付面の左右二箇所に前方へ向かって伸びる回転防止片４２ｅ，４２ｅが設けてあり、回転防止片４２ｅによって固定具４２は固定具挿入部８１ｂへ垂直に挿入される。垂下部４２ｂの後側見付面には、側面視略三角形状の凸部と凹部が交互に複数連なる係合部４２ｄが設けてある。係合部４２ｄは、固定具４２を固定具挿入部８１ｂへ挿入した際に、格子３の前側見付面に位置する係合具７の被係合部７ｂと係合する。固定具４２の上面部４２ａは、固定具挿入部８１ｂへ挿入した状態において、格子３の上端と略同一面となる。また、固定具４２の上面部４２ａには、取り外し工具を引っ掛けるための溝状の係止部４２ｃが設けてある。詳しくは、係止部４２ｃは固定具４２の前側上方の角部に側面視略Ｌ字状に形成してあり、上方及び前方に開口している。
【００２２】
次に、格子体の第三実施形態の施行手順を図１３（ａ）〜（ｆ）に従って説明する。
格子３を上金具１及び下金具２の間にケンドン式に取り付ける手順は、図１３（ａ）から（ｃ）に示すように、第二実施形態と同じである。次に、図１３（ｄ）〜（ｆ）のように、空間Ｓから格子３の固定具挿入部８１ｂへ固定具４２を挿入して格子３を上金具１へ固定する。詳しくは、固定具４２の垂下部４２ｂを固定具挿入部８１ｂへ垂直に挿し込み、上面部４２ａをそのまま下方へ押すと、固定具４２が固定具挿入部８１ｂ内へ嵌まり込むとともに、係合具７の被係合部７ｂと固定具４２の係合部４２ｄが係合して格子体の施工は完了する。
【００２３】
このように構成した第三実施形態の格子体によれば、第一実施形態と同様に、格子３をケンドン式に取り付け、格子３の下端は下金具２と嵌合し、格子３の上端よりも上方は、格子内に上金具１を挿脱自在にする空間Ｓがあり、固定具４２を上方から凹部８１にのみ込ませて格子３の上端を固定することができるため、施工性が良い。
上金具１及び格子３の上端部は露出させてあるため、すっきりとした意匠にできる。
格子３は、固定具４２を上キャップ８の凹部８１に挿入することのみで固定してある。格子３をネジ止めしないので、施工性が良く、意匠性も優れる。また、幕板を用いないので、コストダウンを図ることができる。
固定具４２は、垂下部４２ｂの後側見付面に係合部４２ｄが設けてあり、固定具４２を固定具挿入部８１ｂへ挿入すると、格子３の前側見付面に位置する係合具７の被係合部７ｂと係合部４２ｄとが係合するため、格子３の移動を規制し、しっかりと固定することができる。垂下部４２ｂの前側見付面には、回転防止片４２ｅが設けてあるので、格子３に対して上下方向の力が加えられた場合も、上金具１と上キャップ８との間で回転防止片４２ｅが突っ張ることにより、固定具４２が回転するおそれがない。このような構成の固定具４２は、垂下部４２ｂを凹部８１へ垂直に差込み、そのまま下方へ上面部４２ａを押して、固定具４２を固定具挿入部８１ｂ内へ嵌め込むとともに、上金具１に取り付けた係合具７の被係合部７ｂと固定具４２の係合部４２ｄが係合して上金具１と格子３を固定できるので、施工性も良い。また、固定具４２の上面部４２ａは格子３の上端と略同一面であるため、各格子３の上端が揃い、見栄えが良くなるので、幕板を用いる必要がない。さらに、上面部４２ａには取り外し工具の係止部４２ｃを有するので、取り外しも容易である。
【００２４】
本発明は、上記の実施形態に限定されない。例えば、上記実施形態例において、格子の凹部は上金具挿入部が後側に、固定具挿入部が前側になるよう設置してあるが、格子を挿入する方向によって前後を入れ替えてもよい。また、格子体における格子の数は限定されるものではない。格子体を取付ける開口は必ずしも四辺からなるものである必要はなく、例えば左右の一辺が開放した三辺からなるものや、天井や床等の上下二辺からなる空間を区画することができる。
【符号の説明】
【００２５】
１      上金具
２      下金具
３      格子
４      固定具
４ｃ    係止部
Ｓ      空間
【図１】
2018135728.tif 000003
【図２】
2018135728.tif 000004
【図３】
2018135728.tif 000005
【図４】
2018135728.tif 000006
【図５】
2018135728.tif 000007
【図６】
2018135728.tif 000008
【図７】
2018135728.tif 000009
【図８】
2018135728.tif 000010
【図９】
2018135728.tif 000011
【図１０】
2018135728.tif 000012
【図１１】
2018135728.tif 000013
【図１２】
2018135728.tif 000014
【図１３】
2018135728.tif 000015
【図１４】
2018135728.tif 000016